(57)【要約】【課題】非対称形状のペン先の向きと軸筒の印刷向きを一定方向に配置できることから、使用時における軸筒の印刷方向を安定させることができ、また、印刷等だけでなく、握り形状等とすることも可能となる筆記具を提供する。【解決手段】軸筒１０に表示部１９を施した筆記具Ａであって、径方向からの断面が非正円形状の筆記部５０を有し、筆記部５０が取り付けられる軸筒１０には、径方向断面に非正円形状部分１３を有し、筆記部５０と軸筒１０とは相対回転不能であることを特徴とする筆記具。【選択図】図１
2017124544.tif 000002
【特許請求の範囲】
【請求項１】
軸筒に表示部を施した筆記具であって、径方向からの断面が非正円形状の筆記部を有し、筆記部が取り付けられる軸筒の前端側の断面は正円形状とし、後端側の断面が非正円形状であることを特徴とする筆記具。
【請求項２】
軸筒に表示部を施した筆記具であって、径方向からの断面が非正円形状の筆記部を有し、筆記部が取り付けられる軸筒の後端面に非正円形状の穴が形成されたことを特徴とする筆記具。
【請求項３】
軸筒に表示部を施した筆記具であって、径方向からの断面が非正円形状の筆記部を有し、筆記部が取り付けられる軸筒の後端側の断面が非正円形状であると共に、軸筒の後端面に非正円形状の穴が形成されたことを特徴とする筆記具。
【請求項４】
筆記部は先軸に嵌合され、先軸の径方向断面には非正円形部分を有すると共に筆記部と又は先軸と軸筒とは相対回転不能であることを特徴とする請求項１〜３いずれか１項記載の筆記具。
【発明の詳細な説明】
【技術分野】
【０００１】
本発明は、軸筒にシール、印刷等の表示部を施した筆記具に関する。
【背景技術】
【０００２】
従来より、筆記具においては、軸筒に印刷等の表示部を施すことで、装飾性の向上や筆記具の識別を容易にしている。
【０００３】
また、特許文献１〜３に示されるように、筆記具のクリップ、軸筒、インク収容管などの筆記具用部材の好適な箇所に文字、図形などの表示部をシールや刻印などで施し、シール等の表示位置を容易にし、軸筒のどこに表示部があるかの視認性を向上させている。
【０００４】
しかしながら、特許文献１〜３に示された技術は、いずれもボールペンであり、筆記部が径方向に対して非対称形状である場合は、軸筒と筆記部との回転位置がずれることがあり、軸筒に印刷等の表示を施した製品によっては、使用時における軸筒の表示位置が異なることがあり、ユーザーによっては使用感を損なうおそれがあるなどの課題がある。
【先行技術文献】
【特許文献】
【０００５】
【特許文献１】特開２００４−０４２３６７号公報（特許請求の範囲、図６等）
【特許文献２】特開２００４−０５８４８７号公報（特許請求の範囲、図１等）
【特許文献３】特開２００８−２７３０９６号公報（特許請求の範囲、図１等）
【発明の概要】
【発明が解決しようとする課題】
【０００６】
本発明は、上記従来の課題等について、これを解消しようとするものであり、筆記部の向きと軸筒の把持位置を安定させ、使用時における表示面の方向を一定とし、使用感の向上などを図ることができる筆記具を提供することを目的とする。
【課題を解決するための手段】
【０００７】
本発明者らは、上記従来の課題等を解決するために鋭意検討した結果、軸筒に表示部を施した筆記具であって、非対称形状の筆記部を有し、筆記部が取り付けられる軸筒には、径方向断面に特定の形状部分を有し、筆記具の自動組立機等を用いた組立時において筆記部と軸筒とで一定の位置決めをすることにより、上記目的の筆記具が得られることを見出し、本発明を完成するに至ったのである。
【０００８】
すなわち、本発明は、次の（１）〜（３）に存する。
（１）  軸筒に表示部を施した筆記具であって、径方向からの断面が非正円形状の筆記部を有し、筆記部が取り付けられる軸筒の前端側の断面は正円形状とし、後端側の断面が非正円形状であることを特徴とする筆記具。
（２）  軸筒に表示部を施した筆記具であって、径方向からの断面が非正円形状の筆記部を有し、筆記部が取り付けられる軸筒の後端面に非正円形状の穴が形成されたことを特徴とする筆記具。
（３）  軸筒に表示部を施した筆記具であって、径方向からの断面が非正円形状の筆記部を有し、筆記部が取り付けられる軸筒の後端側の断面が非正円形状であると共に、軸筒の後端面に非正円形状の穴が形成されたことを特徴とする筆記具。
（４）  筆記部は先軸に嵌合され、先軸の径方向断面には非正円形部分を有すると共に筆記部又は先軸と軸筒とは相対回転不能であることを特徴とする請求項１〜３いずれか１項記載の筆記具
【発明の効果】
【０００９】
本発明の筆記具によれば、自動組立機等を用いた組立時において径方向からの断面が非正円形状のペン先となる筆記部の向きと非正円形状部分を有する軸筒の印刷等の表示部の向きを一定方向に配置できることから、使用時における軸筒の印刷方向を安定させることができ、使用感の向上を図ることができる。また、軸筒は印刷位置の安定だけでなく、握り形状等の外形形状を異ならせることも可能となる。
【図面の簡単な説明】
【００１０】
【図１】本発明の筆記具の実施形態の一例を示すものであり、（ａ）は平面図、（ｂ）正面図、（ｃ）は縦断面図である。
【図２】（ａ）〜（ｅ）は、軸筒の一例を示す各図面であり、（ａ）は左側面図、（ｂ）は平面図、（ｃ）は右側面図、（ｄ）は後方部から見た部分斜視図、（ｅ）は縦断面図である。
【図３】（ａ）及び（ｂ）は、軸筒の一例を示す各図面であり、（ａ）は正面図、（ｂ）は縦断面図である。
【図４】（ａ）〜（ｇ）は、先軸の一例を示す各図面であり、（ａ）は前方部から見た斜視図、（ｂ）は平面図、（ｃ）は後方部から見た斜視図、（ｄ）は右側面、（ｅ）は正面図、（ｆ）は左側面図、（ｇ）は縦断面図である。
【図５】（ａ）〜（ｆ）は、保持体に筆記芯（焼結体）を取り付けた状態の一例を示す各図面であり、（ａ）は平面図、（ｂ）は正面図、（ｃ）はＸ−Ｘ線断面図、（ｄ）はＹ−Ｙ線断面図、（ｅ）は左側面図、（ｆ）は右側面図である。
【図６】（ａ）〜（ｇ）は、保持体の一例を示す各図面であり、（ａ）は前方部から見た斜視図、（ｂ）は正面図、（ｃ）は後方部から見た斜視図、（ｄ）は左側面図、（ｅ）は平面図、（ｆ）は右側面図、（ｇ）はＡ−Ａ線断面図である。
【図７】本発明の筆記具の使用形態の一例を示す斜視図である。
【発明を実施するための形態】
【００１１】
以下に、本発明の実施形態について図面を参照しながら詳しく説明する。
図１〜図７は、本発明の筆記具の実施形態の一例を示すものであり、図１（ａ）〜（ｃ）はそれぞれ筆記具の平面図、正面図、縦断面図であり、図２及び図３は、軸筒の一例を示す各図面、図４は、先軸の一例を示す各図面、図５は、保持体に筆記芯（焼結体）を取り付けた状態の一例を示す各図面、図６は、保持体の一例を示す各図面、図７は、本発明の筆記具の使用形態の一例を示す斜視図である。
本実施形態の筆記具Ａは、マーキングペンタイプの実施形態であり、図１に示すように、少なくとも筆記具本体となる軸筒１０と、先軸２０と、インク吸蔵体３０と、ペン芯３５と、保持体４０と、キャップ６０とを備え、上記ペン芯３５と保持体４０により筆記部（ペン先）が構成されている。
【００１２】
軸筒１０は、例えば、熱可塑性樹脂、熱硬化性樹脂等で形成されるものであり、図１（ｃ）に示すように、筆記具用インクを含浸したインク吸蔵体３０を収容する有底筒状体となっている。
軸筒１０は、例えば、ＰＰ等からなる樹脂を使用して有底筒状体に成形され、筆記具の本体（後軸）として機能する。また、軸筒１０は、図２（ａ）〜（ｅ）及び図３（ａ）、（ｂ）に示すように、前端が横断面円形形状となる開口部１１を有すると共に、前端側から後端近傍まで横断面が略円形形状１２となると共に、その後端部分は、内側に若干凹んだ横断面が楕円形形状１３となっている。すなわち、軸筒１０を軸方向の外側形状（外面）からみると、前方は円形形状となっており、後方は、楕円形状となっており、径方向断面に非正円形状部分を有している。軸筒１０の外面の径方向断面の一部を非正円形状とすることによって筆記部との位置決めをすることができる。
【００１３】
軸筒１０の開口部１１の内周面には、先軸２０の後方側を圧入して回転不能とするための複数の段差を有する嵌合部１４が形成されている。また、軸筒１０内には、図２（ａ）、（ｅ）及び図３（ｂ）に示すように、後端面側から内周面に沿い、インク吸蔵体３０の後端部を当接保持する当接片１５、１５…からなる当接部材１６、１６…が所定間隔で一体形成されており、また、軸筒１０をインク吸蔵体３０の位置安定と、印刷位置の方向決めするリブ体１７、１７が当接部材１６、１６を挟んで向かい合って一体形成されている。
軸筒１０の後端外面には、図２（ｂ）、（ｃ）、（ｅ）及び図３（ｂ）に示すように、非正円形状の穴１８が形成されている。この非正円形状の穴１８は、軸筒１０の射出成形時のゲート部であり、また筆記部との位置決めをするための正円に二面削ぎされた穴である。
軸筒１０全体及び後述する先軸２０は不透明又は透明（及び半透明）に成形されるが、外観上や実用上の観点からいずれを採用しても良い。図示符号１９は、軸筒１０の外面にシールや印刷、刻印等で施される表示部（表示面）となるものである。
【００１４】
先軸２０は、図４（ａ）〜（ｇ）に示すように、筒状体となっており、前方部２１は先端側が若干先細状となり、その開口部２２の横断面は、楕円形状となっており、径方向断面に非正円形状部分を有している。また、開口部２２の内周面には、筆記部となる筆記芯４０を取り付けた保持体５０を圧入により嵌合固着する嵌合部２３が形成されており、中央部付近まで段差を有しながら拡径しており、その外周面に軸筒１０の開口部１２の縁に密着するフランジ部２４が形成されており、後方部２５の外周面には、軸筒１０の円形形状の開口部１１の内周面に形成された嵌合部１４に圧入固着されて当該先軸２０が回転不能とするための嵌合部２６が形成されている。この構造の先軸２０は、例えば、ＰＰ等からなる樹脂などで成形されるものである。
【００１５】
インク吸蔵体３０は、水性インク、油性インクなどの筆記具用インクを含浸したものであり、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる繊維束、フェルト等の繊維束を加工したもの、また、スポンジ、樹脂粒子、焼結体等の多孔体を含むものである。このインク吸蔵体３０は、軸筒１０内に形成した当接片１５、１５…からなる当接部材１６、１６…と、リブ体１７、１７により安定に収容保持されている。
また、用いるインク組成は特に限定されず、筆記具の用途等に応じて、好適な配合処方とすることができ、例えば、マーキングペン等ではインクに蛍光色素、例えば、ベーシックバイオレット１１、ベーシックイエロー４０などを含有させることできる。
【００１６】
ペン芯３５は、図５（ａ）〜（ｄ）に示すように、全体がコ字型形状となるものであり、インク誘導部３６、３６と、該インク誘導部３６、３６からのインクを導出する筆記体３７とを備えたものである。
このペン芯３５は、多孔質部材から構成されるものであり、例えば、天然繊維、獣毛繊維、ポリアセタール系樹脂、ポリエチレン系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる並行繊維束、フェルト等の繊維束を加工又はこれらの繊維束を樹脂加工した繊維芯、または、各種のプラスチック粉末などを焼結したポーラス体（焼結芯）などからなるものである。
筆記体３７の幅は、十分な筆記流量の確保を確保する点から、幅方向の長さ（ｔ）は好ましくは、０．５０ｍｍ以上、特に、１．０〜３．０ｍｍであることが望ましい。
【００１７】
筆記体３７は、筆記しやすい傾きとなるように、傾斜状（ナイフカット状）となっており、ボールペンチップのような径方向の断面に対して正円形状でなく、この傾き等は、筆記等の使い勝手に合わせて適宜設定される。また、この筆記体４２は、描線幅（Ｗ）が太いものであり、好ましくは、描線幅１ｍｍ以上、更に好ましくは、描線幅３ｍｍ以上の描線幅となるものが望ましい。筆記部５０がボールペンチップのような径方向の断面に対して正円形状でないものであり、本実施形態はマーキングペンと称するものである。
【００１８】
保持体４０は、図５（ａ）〜（ｆ）及び図６（ａ）〜（ｇ）に示すように、上記ペン芯３５を固定して、軸筒１０に固着された先軸２０の先端開口部２２に固着されるものであり、外面形状が楕円形状となる本体部４１と、該本体部４１の前方側に、楕円形状となるフランジ部４２と、筆記方向を視認することができる可視部４３とを有すると共に、該本体部４１の後方側に、上記本体部４１に連設される保持片４４を有する後方保持部４５とを備えたものである。また、これらの部材から構成される保持体４０の長手方向外周面全体には、上記コ字型状のペン芯３５を嵌入保持する保持溝４６が形成されている。この保持溝４６にペン芯３５を確実に抜け止めするために、ホットメルト型等の接着剤や溶着などの固着手段を用いて固着してもよい。
また、本体部４１の幅方向外周面には、凹状の嵌合部４１ａが形成され、長手方向外周面には、空気流通溝４１ｂ、４１ｂが形成されている。
【００１９】
このように構成される保持体４０全体を、視認性、可撓性を有する材料、例えば、ＰＰ、ＰＥ、ＰＥＴ、ＰＥＮ、ナイロン（６ナイロン、１２ナイロン等の一般的なナイロン以外に非晶質ナイロン等を含む）、アクリル、ポリメチルペンテン、ポリスチレン、ＡＢＳ等の材料から成形により構成することにより、可視部４３で筆記方向に書いてある文字を有効に視認できることとなる。なお、可視部４３だけを視認性を有する材料で構成してもよい。
また、保持体４０は、上記各材料の一種類、または、耐久性、視認性の更なる向上の点などから、２種類以上の材料を用いて構成してもよく、射出成形、ブロー成形などの各種成形法により成形することができる。
この筆記具Ａにおいて、保持溝４６には、ペン芯３５を確実に固定するための側方保持溝４６a、４６aと前方保持溝４６ｂとを有し、この保持溝４６に上記ペン芯３５を嵌入すると、ペン芯３５のインク誘導部３６，３６の底面側から保持溝４６内部に強く入り込み、ペン芯３５は保持体４０の保持溝４６に確実に固定されることなる。本実施形態では、ペン芯３５の筆記体３７と接触する箇所となる、保持溝４６の前方表面部４７ｂに、筆記体３７の筆記時等の際のズレを防止して保持を確実にするための凹凸形状からなる非平滑面部４７が形成されている。なお、上記ペン芯３５の固定を確実にするために更にホットメルト型等の接着剤あるいは超音波溶着などを用いてもよい。
【００２０】
このペン芯３５を固定した保持体４０（図５）から構成される筆記部５０は、図５等に示すように、非対称形状の筆記部となるものであり、この筆記部５０における保持体４０を、先軸２０の開口部２０内に圧入すると、先軸２０の嵌合部２３に保持体４０の嵌合部４１ａが嵌合することにより、ペン芯３５は保持体４０を介して筆記具軸筒１０に固着され筆記部５０と軸筒１０とは相対回転不能となると共に、ペン芯３５のインク誘導部３６，３６の後方側端部３６ａ、３６ａはインク吸蔵体３０の先端側内部に入り込む構成となっている。なお、インク吸蔵体３０の先端側内部にインク誘導部３５，３５の後方側端部３６ａ、３６ａを挿入する凹部を形成してもよい。また、軸筒１０内の圧力等が増大にした際に、インク垂れ等がペン先から生じることがあるが、本実施形態の筆記具Ａでは、空気流通溝４１ｂを介して軸筒１０内と外気とを調整している。
キャップ６０は、先軸２０の先端側外周面に嵌合等により着脱自在に取り付けられるものである。キャップ６０は、不透明の材料にて成形されるが、キャップ６０の外から筆記部５０を視認できるよう透明（又は半透明）な材料で成形してもよい。
【００２１】
本発明となる筆記具Ａでは、筆記具の軸筒１０内に筆記具用インクを吸蔵したインク吸蔵体３０を挿入して保持せしめ、先軸２０、ペン芯３５を嵌入保持等により固定した保持体４０を順次嵌合等により固着せしめることにより、筆記部５０と軸筒１０とは相対回転不能となり、簡単に筆記具Ａを作製することができ、インク吸蔵体３０に吸蔵されたインクは毛管力によりペン芯３５の筆記体３７に効率的に供給され、図７に示す態様で、筆記に供されるものとなる。
【００２２】
このように構成される筆記具Ａでは、非対称形状の筆記部５０を有し、筆記部５０が取り付けられる軸筒１０には、径方向断面に非正円形状部分を有し、筆記部５０と軸筒１０とは相対回転不能であることから、非対称形状のペン先となる筆記部５０の向きと軸筒１０の印刷等の表示部１９の向きを一定方向に配置できることから、使用時における軸筒１０の印刷方向を安定させることができ、使用感の向上を図ることができる。また、軸筒１０は印刷等だけでなく、握り形状等とすることも可能となる。
また、軸筒１０の後端面には、非正円形状の穴１８を形成することにより、成形時のゲート部と筆記部５０との位置決めが容易となる。更に、軸筒１０内には上述のリブ体１７、１７が形成されているので、インク吸蔵体（中綿）３０の位置安定と、印刷位置の安定を図ることができることとなる。
更に、本発明の筆記具Ａは、上述の如く、ペン芯３５を固着した保持体４０が、視認性を有する材料で構成されているので、当該保持体４０の可視部４３が、筆記方向を視認できる視認部となるものであり、筆記方向に書いてある文字を確実に読むことができる十分な視認性が付与することができると共に、終筆まで使用可能な筆記具が提供されるものとなる。
【００２３】
本発明の筆記具は、上記実施形態などに限定されることなく、本発明の技術思想を変更しない範囲内で種々変更することができる。
上記実施形態では、筆記体３７をチゼル形状のマーキングペンタイプの芯体としたが、万年筆等の一定の方向性を有するものであってもよい。
また、上記実施形態では、筆記具用インクで説明したが、液状化粧料、液状薬剤、塗布液、修正液などの液状体とし、筆記芯を該液状体に併せて、例えば、好適な塗布部材を使用してもよいものである。
【実施例】
【００２４】
次に、実施例により、本発明を更に詳述するが、本発明は下記実施例に限定されるものではない。
【００２５】
〔実施例１〕
下記構成及び図１〜図７に準拠する筆記具、インクを使用した。筆記芯、保持体等の寸法等は下記に示す大きさのものを使用した。
【００２６】
（ペン芯３５の構成）
ＰＥ製焼結芯、気孔率６０％、筆記部：上辺長さ４ｍｍ、下辺長さ５ｍｍ、高さ２ｍｍ、ナイフカット状、インク誘導部：φ（ｔ）２ｍｍ、長さ１６ｍｍ、上辺長さ４ｍｍ、下辺長さ５ｍｍ、高さ２ｍｍ
（保持体４０の構成）
アクリル樹脂製、可視光線透過率８５％〔スガ試験機社製、多光源分光測色計（ＭＳＣ−５Ｎ）にて反射率を測定し、可視光線透過率とした。〕
ペン芯３５固着後の可視部４３（四角形）の大きさ：５ｍｍ×６ｍｍ×３ｍｍ×４ｍｍ
（ペン芯３５、保持体４０以外の筆記具部材の構成）
インク吸蔵体：ＰＥＴ繊維束、気孔率８５％、φ６×７７ｍｍ
筆記具本体、キャップ：ポリプロピレン（ＰＰ）製
【００２７】
（インク組成）
インクとして、下記組成の蛍光桃インクを使用した。
色材：ＶＣトナー桃（御国色素社製）                ３０質量部
湿潤剤：グリセリン                                ２５質量部
防腐剤：バイオエース（ケイアイ化成社製）        ０．７質量部
イオン交換水                                  ４４．３質量部
【００２８】
この実施例１の筆記具では、非対称形状の筆記部５０を有し、筆記部５０が取り付けられる軸筒１０には、径方向断面に非正円形状部分を有し、筆記部５０と軸筒１０とは相対回転不能であることから、非対称形状のペン先となる筆記部５０の向きと軸筒１０の印刷等の表示部１９の向きを一定方向に配置できることから、使用時における軸筒１０の印刷方向を安定させることができ、使用感の向上を図ることが確認できた。
また、得られた筆記具を用いて、文字の上に筆記したところ、筆記時に可視部４３を介して向こう側の見え方を目視にて確認したところ、視認性が十分であり、見やすく、筆記方向に書いてある文字を読みながら筆記することができた。
【００２９】
更に、自動筆記装置にこの筆記具をセットして、ＪＩＳ  Ｓ６０３７に従い、上質紙面上で筆記角度６５°、筆記力１Ｎ、速度７ｃｍ／ｓ、距離１００ｍで直線筆記後、筆記した描線状態を目視にて確認したところ、筆記性は良好で描線かすれはなく、インク流量も良好であることがわかった。
【産業上の利用可能性】
【００３０】
本発明の筆記具では、マーキングペン等の筆記部が非正円形状である筆記具などに好適に使用することができる。
【符号の説明】
【００３１】
Ａ  筆記具
１０  軸筒
１９  表示部
２０  先軸
３０  インク吸蔵体
３５  ペン芯
４０  保持体
５０  筆記部
６０  キャップ
【図１】
2017124544.tif 000003
【図２】
2017124544.tif 000004
【図３】
2017124544.tif 000005
【図４】
2017124544.tif 000006
【図５】
2017124544.tif 000007
【図６】
2017124544.tif 000008
【図７】
2017124544.tif 000009